(57)【要約】【課題】ブロア装置内におけるもみがらの衝撃力によるブロアケース本体の摩耗や損傷を防止すると共に、比較的簡便，安価に実施でき、メンテナンス性もよいもみがら投入用ブロア装置のブロアケース構造を提供する。【解決手段】ブロア装置のブロアケース構造４のブロアケース本体６ともみがら１１の排出される排出口部７の突出部１８との間に形成される空間部２１にはこの空間部２１を埋めてブロアケース本体６や排出口部７側に固持される補強部材２２が配置される。補強部材２２は数多くの補強板２５ａを互いに密接して並設してなる補強板群２５等からなり、ブロアケース本体６の損傷孔の発生し易い箇所を有効に補強することができる。これにより、装置の稼動率及び寿命の向上が図れる。【選択図】      図２
2004324602.tif 000002
【特許請求の範囲】
【請求項１】
もみがらをサイロ等へ投入するためのブロア装置のブロアケース構造であって、該ブロアケース構造は、モータにより駆動されるファンを収納する中空円筒体状のブロアケース本体と、この外面に接線方向に沿ってやや突出して一体的に形成されその出口側にフランジを形成する排出口部と、該排出口部の突出部と前記ブロアケース本体の外面との間に形成される空間部を埋めて両者側に固持される補強部材とを設けることを特徴とするもみがら投入用ブロア装置のブロアケース構造。
【請求項２】
前記補強部材が、前記ブロアケース本体の両側壁に固定される側板と、前記排出口部の突出部の上面及び前記フランジに固定される底板と、前記両側板間に互いに密接して並設され、前記両側板と前記底板との間に固持される補強板群とからなることを特徴とする請求項１に記載のもみがら投入用ブロア装置のブロアケース構造。
【発明の詳細な説明】
【０００１】
【発明の属する技術分野】
本発明は、脱殻処理等により多量に発生するもみがらを一時的に保管し、必要に応じて多方面の使用場所にタイムリに提供し得るための保管筒であるサイロ等にもみがらを投入するためのブロア装置のブロアケース構造であって、特に、長期間使用において損傷発生がなく、装置寿命の向上を図るもみがら投入用ブロア装置のブロアケース構造に関する。
【０００２】
【従来の技術】
図６にもみがら１１を山積みしている「もみがらの山」２からサイロ等のタンク３にもみがら１１を投入するためのブロア装置１を示す。このブロア装置１の全体構造は後に説明するが、ブロア装置１の主要構成要素であるブロアケース構造４を図７に示す。ブロアケース構造４は回転駆動されるファン５を内部に収納する中空円筒体状のブロアケース本体６とこの外面に接線方向に沿ってやや突出して一体的に形成されその出口側にフランジ８を形成する排出口部７等とからなり、全体として支持板９により地上側１０に搭載される。
【０００３】
「もみがらの山」２のもみがら１１は、吸入チューブ１３（図６）を介し図７のブロアケース本体６の側面に挿入されるもみがら吸入口部１２からブロアケース本体６内に導入され、ブロアケース本体６内で回転してるファン５を介して排出口部７側に送られて排出される。この排出されたもみがら１１はブロアケース構造４の排出口部７とタンク３との間に架設されるパイプ１４（図６）によりタンク３内に導入されて蓄溜される。
【０００４】
【発明が解決しようとする課題】
もみがら１１は比較的硬いものからなり、ファン５により回転されると硬いもみがら１１がブロアケース本体６の内壁に強く当る。これにより、ブロアケース本体６の内壁に強い衝撃力が加わる。この衝撃力は図７，図８に示すようにブロアケース本体６の排出口部７に近い部位（符号Ｄで示す）やブロアケース本体６と排出口部７との連結部位（符号Ｅで示す）において特に大きい。そのため、図８，図９に示すように符号ＤやＥで示す部位に大きな孔１５が生ずる。孔１５が生ずると当然ながら粉砕されたもみがら１１はこの孔１５から外部に放出され、パイプ１４側には残りのもみがら１１のみが送られるだけになる。勿論、ブロア装置１の周辺にもみがら１１が散乱し、ブロア装置１はその機能を果すことができなくなる。
【０００５】
ブロア装置１としては、孔１５が生じなければその他の部分は特に問題はなく、そのまま長時間の運転が可能であるが、この孔１５の発生によりブロア装置１の全体の機能で停止し、孔１５を補修しない以上、再使用できなくなる。しかしながら、孔１５を補強するには別体の補強板等により孔１５を塞ぎ、溶着する等の処理が必要であるが、この補強板にも間もなく孔が生じ、完全な補強処置にはならない問題点がある。
【０００６】
本発明は、以上の事情に鑑みて発明されたものであり、ブロア装置のもみがらによる破壊を防止し、装置の稼動率の向上と寿命の向上を図る比較的簡便構造のもみがら投入用ブロア装置のブロアケース構造を提供することを目的とする。
【０００７】
【課題を解決するための手段】
本発明は、以上の目的を達成するために、請求項１の発明は、もみがらをサイロ等へ投入するためのブロア装置のブロアケース構造であって、該ブロアケース構造は、モータにより駆動されるファンを収納する中空円筒体状のブロアケース本体と、この外面に接線方向に沿ってやや突出して一体的に形成されその出口側にフランジを形成する排出口部と、該排出口部の突出部と前記ブロアケース本体の外面との間に形成される空間部を埋めて両者側に固持される補強部材とを設けることを特徴とする。補強部材を前記空間部を埋める位置に配置し、これをブロアケース本体側と排出口部側に固持されることにより、この部位の摩耗による寿命の延長化が図れ前記目的を達成することができる。
【０００８】
また、請求項２の発明は、前記補強部材が、前記ブロアケース本体の両側壁に固定される側板と、前記排出口部の突出部の上面及び前記フランジに固定される底板と、前記両側板間に互いに密接して並設され、前記両側板と前記底板との間に固持される補強板群とからなることを特徴とする。補強部材を以上の構造にすることにより、孔の発生はなくなり、仮りに補強板群のうちの数枚の補強板が破損しても簡単に補修でき、長時間の間孔の発生を防止することができる。これにより、装置の稼動率の向上と寿命の向上が図れる。
【０００９】
【発明の実施の形態】
以下、本発明のもみがら投入用ブロア装置のブロアケース構造の実施の形態を図面を参照して詳述する。まず、図１によりブロア装置１の全体構造を説明する。図１，図２に示すように、ブロアケース構造４はブロアケース本体６と排出口部７を一体的に形成したものからなる。ブロアケース本体６は円筒状に丸められた外板１６とこの外板１６の両側に固定される側壁１７とからなる中空円筒体状のケースからなる。また、排出口部７は以上の構造のブロアケース本体６の外面に接線方向に沿って連結された断面形状四角の突出部１８とこの排出端に固定されるフランジ８とからなる。また、図１に示すようにこのブロアケース構造４は支持板７により地上側１０上に搭載される。
【００１０】
ブロアケース本体６の一側面にはもみがら吸入部１２がその先端側をブロアケース本体６内に挿入された状態で固定される。なお、図示のように、もみがら吸入部１２は挿入側が縮径されたテーパ状の中空管からなる。一方、ブロアケース本体６内にはファン５が収納される。このファン５はモータ１９により駆動され、モータ１９は支持台２０により地上側１０上に搭載される。以上の構造により、モータ１９を駆動するとファン５がブロアケース本体６内で回転し、もみがら吸入部１２から導入されたもみがら１１（図７）に回転力と遠心力を付加しながらもみがら１１を排出口部７側に送り、排出口部７からパイプ１４（図６）によりタンク３（図６）側に排出する。
【００１１】
図２（ａ），（ｂ）に示すように、ブロアケース本体６の外板１６と側壁１７，１７と排出口部７の突出部１８の上面１８ａとの間には空間部２１が形成される。本発明の補強部材２２は図２（ｂ）に示すようにこの空間部２１を埋めて側壁１７，１７や排出口部７側に固持されるものである。
【００１２】
図３，図４，図５に示すように、補強部材２２はブロアケース本体６の側壁１７，１７に全面接触する形状の側板２３，２３と、排出口部７の突出部１８の上面１８ａとフランジ８の内側に固持されると共に側板２３，２３にも固定される底板２４と、側板２３，２３内に重合状態で並設されて側板２３，２３や底板２４に固持される補強板群２５等とからなる。なお、図３（ａ），（ｂ）に示すように補強板群２５を形成する補強板２５ａは比較的厚肉の厚板ｔでほぼ側板２３の輪郭形状に近い形状の平板状部材からなる。なお、この補強板２５ａは交換可能の状態で互いに密接した状態で配置され、ボルト孔２６（図３（ａ））を貫通するボルト２７（図２（ｂ））により側板１７，１７等に固定される。
【００１３】
以上の構造の補強部材２２を前記の空間部２１を埋める位置に配置し、ブロアケース本体６側に固持せしめることにより図７，図８に示した部位ＤやＥの箇所が補強され、結果として孔１５の発生を有効に防止することができる。また、仮りに、補強部材２２が破損しないとしても、補強部材２２を構成する補強板群２５の一部の補強板２５ａを交換すればよく、長期間にわたり孔１５の発生を防止することができる。また、補強板２５ａを特殊の補強度材料から形成することにより、孔１５の発生を完全に防止することもできる。以上のように、本発明の補強部材２２は比較的構造が簡単で、かつ交換可能の構造体からなり、比較的安価に実施することができる。
【００１４】
【発明の効果】
１）本発明の請求項１のもみがら投入用ブロア装置のブロアケース構造によれば、孔のあき易い位置に比較的簡便構造の補強部材を配置することにより孔の発生を有効に防止でき、装置の稼動率の向上と寿命の向上を図ることができる。
２）本発明の請求項２のもみがら投入用ブロア装置のブロアケース構造によれば、補強部材は交換可能補強板群等とからなり、構造が簡便であると共に、メンテナンス性の大幅な向上が図れる。
【図面の簡単な説明】
【図１】本発明のブロア装置の全体構造を示す断面図。
【図２】補強部材を伴った本発明のブロア装置におけるブロアケース構造を示す断面図（ａ）及びＣ矢視図（ｂ）。
【図３】補強部材の構造を示す側面図（ａ）、補強部材の補強板群を構成する補強板を示す側面図（ｂ）及びそのＦ矢視図（ｃ）。
【図４】本発明の補強部材の全体構造を示す斜視図。
【図５】本発明の補強部材の全体構造を示す正面図。
【図６】もみがら投入用ブロア装置とタンクとの概要構成を示す模式図。
【図７】ブロア装置の従来のブロアケース構造を示す図１におけるＡ−Ａ線に沿う断面図。
【図８】従来のブロアケース本体の一部位に生ずる孔（破壊孔）を示す断面図。
【図９】図８のＢ矢視の側面図。
【符号の説明】
１      ブロア装置
２      もみがらの山
３      タンク
４      ブロアケース構造
５      ファン
６      ブロアケース本体
７      排出口部
８      フランジ
９      支持板
１０    地上側
１１    もみがら
１２    もみがら吸入部
１３    吸入チューブ
１４    パイプ
１５    孔
１６    外板
１７    側壁
１８    突出部
１９    モータ
２０    支持台
２１    空間部
２２    補強部材
２３    側板
２４    底板
２５    補強板群
２５ａ  補強板
２６    ボルト孔
２７    ボルト
【図１】
2004324602.tif 000003
【図２】
2004324602.tif 000004
【図３】
2004324602.tif 000005
【図４】
2004324602.tif 000006
【図５】
2004324602.tif 000007
【図６】
2004324602.tif 000008
【図７】
2004324602.tif 000009
【図８】
2004324602.tif 000010
【図９】
2004324602.tif 000011